(57)【要約】【課題】支持シートに、印刷用カードの裏面に印刷領域を形成するための部分的裏抜きを行うための切断線の付与を行うときに、印刷用カードの裏面に刃の圧着痕が生じないようにする手段を提供する。【解決手段】支持シート２０に非粘着性で易剥離性の接着剤を塗布し、それとカード用シート２１とを接合ローラーで加圧接着して積層シート２２とするに先立ち、アンカット部分２５ａを残してカード用シート２１の裏面の印刷領域２３ａの部分的裏抜きのための切断線２５の付与を行う。両シート２０，２１の加圧接着後に、カード用シート２１のみにそれを印刷用カード２３に切断するための切断線２４を付与する。【選択図】図３
2007160914.tif 000002
【特許請求の範囲】
【請求項１】
多数の印刷用カードにおける裏面に印刷領域を残して支持シートが貼着され、該印刷用カードの多数が該支持シートで連結されてなるプリンター用連結シートを製造するための方法であって、次の工程（ａ）〜（ｅ）を含むことを特徴とする方法。
（ａ）  支持シートロールから連続的に供給される支持シートの接着面に、非粘着性で易剥離性の接着剤を塗布する工程。
（ｂ）  該支持シートに、次の工程（ｃ）に先立って、アンカット部分を残して上記印刷領域の部分的裏抜きのための切断線の付与を行う工程。
（ｃ）  上記支持シートと、カード用シートロールから連続的に供給されるカード用シートとを、接合ローラーで加圧接着し、積層シートにする工程。
（ｄ）  上記積層シートにおけるカード用シートのみに、それを印刷用カードに切断するための切断線を付与する工程。
（ｅ）  裏抜きの切断線が形成された支持シートから、上記印刷領域に貼着されている余剰部分を、上記アンカット部分を切断しながら上記切断線に沿う切断で引き剥がし、裏抜きする工程。
【請求項２】
請求項１における工程（ａ）に代えて下記工程（ｆ）を備えることを特徴とするプリンター用連結シートの製造方法。
（ｆ）  支持シートロールから接着面に予め非粘着性で易剥離性の接着剤が塗着された支持シートを連続的に供給する工程。
【請求項３】
請求項１または２に記載の方法における工程（ｂ）において、切断線に沿うアンカット部分が、厚みが数μｍの薄肉接続部及び／または切断線の一部に残る微小な非切断部である、
ことを特徴とするプリンター用連結シートの製造方法。
【請求項４】
請求項１ないし３のいずれかに記載の方法において支持シートに付与する切断線が、連続的に供給される支持シートの長さ方向に沿って延びるがそれと直交する方向に一定幅で往復動する曲線的な線状であることを特徴とするプリンター用連結シートの製造方法。
【請求項５】
請求項１ないし３のいずれかに記載の方法において支持シートに付与する切断線が、連続的に供給される支持シートの長さ方向に沿う直線的な線状であることを特徴とするプリンター用連結シートの製造方法。
【請求項６】
多数の印刷用カードにおける裏面に印刷領域を残して支持シートが貼着され、該印刷用カードの多数が該支持シートで連結されてなるプリンター用連結シートを製造するための装置であって、次の機器（ａ）〜（ｅ）を含むことを特徴とする製造装置。
（ａ）  支持シートロールから連続的に供給される支持シートの接着面に、非粘着性で易剥離性の接着剤を塗布する接着剤塗布機器。
（ｂ）  該支持シートに、次の（ｃ）の圧着機器によるカード用シートとの積層に先立って、アンカット部分を残して上記印刷領域の部分的裏抜きのための切断線の付与を行う裏抜き切断線付与機器。
（ｃ）  上記支持シートと、カード用シートロールから連続的に供給されるカード用シートとを、接合ローラーで加圧接着し、積層シートにする圧着機器。
（ｄ）  上記積層シートにおけるカード用シートのみに、それを印刷用カードに切断するための切断線を付与するカード状切断線付与機器。
（ｅ）  裏抜きの切断線が形成された支持シートから、上記印刷領域に貼着されている余剰部分を、上記アンカット部分を切断しながら上記切断線に沿う切断で引き剥がし、裏抜きする裏面印刷領域形成機器。
【請求項７】
請求項６における機器（ａ）に代えて下記の機器（ｆ）を備えることを特徴とするプリンター用連結シートの製造装置。
（ｆ）  支持シートロールから、接着面に予め非粘着性で易剥離性の接着剤が塗着された支持シートを連続的に供給する接着剤付き支持シート供給機器。
【発明の詳細な説明】
【技術分野】
【０００１】
本発明は、名刺等の印刷用カードの多数にプリンターで印刷するのに適したプリンター用連結シートの製造方法及びその装置に関する。
【背景技術】
【０００２】
特許文献１等により、各種の汎用プリンターを用いて名刺などの印刷用カードの多数を作成するための、印刷用カードの多数が支持シートで連結されてなるプリンター用連結シートが既に知られている。このプリンター用連結シートは、図６の裏面図に示すように、カード用シート２１に縦横の切断線２４を付することにより形成された所期の大きさの印刷用カード２３が複数個隣接して配置され、多数の該印刷用カード２３における裏面に、印刷領域２３ａを残して支持シート２０の連結部分２０ａが貼着され、該連結部分２０ａで印刷用カード２３が連結されたものである。なお、図中、２５は印刷カード２３の裏面の印刷領域２３ａに貼着されていた支持シート２０の余剰部分２０ｂ（図５）を除去する切断線である。そして、該印刷用カード２３は、その表面全体及びその裏面の印刷領域２３ａに、汎用プリンターで印刷できるように、Ａ４サイズ、Ｂ４サイズ等の大きさとなっている。印刷後には印刷用カード２３を支持シート２０の連結部分２０ａから取り外して名刺等として使用できる。
【０００３】
上記支持シート２０の連結部分２０ａは、各印刷用カード２３が一枚の支持シート２０で連結した状態に保持された積層シートにおいて、上記支持シート２０から印刷カード２３の裏面の印刷領域２３ａを露出させるために、該印刷領域２３ａに貼着されている支持シート２０の余剰部分２０ｂを、その周囲に付した切断線２５に沿う切断で引き剥がした残りの部分として形成されたもので、それにより、隣接する印刷用カード２３が連結状態に保持され、また、上記印刷領域２３ａの露出により該領域にも汎用プリンターでプリントできるようにしている。
【０００４】
なお、上記印刷用カード２３も、支持シート２０が貼着されたカード用シート２１に縦横の切断線２４を付することによって形成したものである。また、上記カード用シート２１と支持シート２０との接着には、非粘着性で易剥離性の接着剤が用いられ、剥離後には両シートを重ね合わせても再接着しない。
【０００５】
図４〜図６を参照して、上記従来のプリンター用連結シートの製造過程について説明すると、図４において、まず、支持シートロール１０から連続的に供給される支持シート２０の接着面に、接着剤塗布機器１２により、非粘着性で易剥離性の接着剤が塗布される。この接着剤塗布機器１２を備えることなく、予め接着剤が塗着された支持シート２０を連続的に供給することもある。そして、この接着剤を塗布した支持シート２０の接着面と、カード用シートロール１１から連続的に供給されるカード用シート２１の接着面とが、一対の接合ローラー１３ａからなる圧着機器１３により加圧接着され、積層シート２２となる。
【０００６】
次に、裏抜き切断線付与機器１４を用いて、上記積層シート２２における支持シート２０に、該支持シート２０の厚みより数μｍ高い刃を有する抜き型を押圧し、前記上記印刷領域２３ａの部分的裏抜きのための切断線２５の付与を行う。図５は、積層シート２２が矢印Ａ方向に送られている状態で、この抜き型の押圧により、支持シート２０のみに切断線２５が形成された状態を示すもので、この状態では支持シート２０とカード用シート２１とは接着状態となっており、両シート２０，２１は積層状態のままに維持される。
【０００７】
更に、カード状切断線付与機器１５を用いて、裏抜き後の積層シート２２にけるカード用シート２１側より、該カード用シート２１の厚みより数μｍ高い刃を有する抜き型を押圧することにより、各印刷用カード２３の周囲に各印刷用カードに切断するための切断線２４が付与される。これにより、多数の印刷用カード２３が形成されるが、それらは支持シート２０に対して接着状態にあるため、外観的には支持シート２０とカード用シート２１が積層シート２２の状態に保持されている。
【０００８】
その後、裏面印刷領域形成機器１６を用いて、裏抜きの切断線２５が形成された支持シート２０側より、上記印刷用カード２３の裏面の印刷領域２３ａに貼着されている支持シート２０の余剰部分２０ｂを引き剥がし、それにより、図６に示すように該余剰部分２０ｂを除去した帯状の積層シート２２が製造される。この帯状の積層シート２２を同図に示す裁断位置２７で裁断することにより、プリンター用連結シートが製造される。
【０００９】
上述した工程で製造される従来のプリンター用連結シートでは、支持シート２０とカード用シート２１を接着状態とした積層シート２２の支持シート２０側に抜き型の刃を押し付けるので、印刷用カード２３の裏面に切断線２５の形状の上記刃の圧着痕が残るのを避けることができない。この圧着痕は肉眼で見てもよく分かる程度のもので、カードの美観を大いに損ね、プリンター用連結シートの商品価値を下げることになる。
【特許文献１】特開２００２−２６４２４０号公報
【発明の開示】
【発明が解決しようとする課題】
【００１０】
本発明の技術的課題は、多数の印刷用カードにおける裏面に印刷領域を残して支持シートが貼着され、該印刷用カードの多数が該支持シートで連結されてなるプリンター用連結シートを製造するための方法及び装置において、支持シートに印刷用カードの裏面に印刷領域を形成するための部分的裏抜きを行うための切断線の付与を行うときに、印刷用カードの裏面に刃の圧着痕が生じないようにする手段を提供することにある。
【課題を解決するための手段】
【００１１】
上記課題を解決するための本発明の製造方法は、多数の印刷用カードにおける裏面に印刷領域を残して支持シートが貼着され、該印刷用カードの多数が該支持シートで連結されてなるプリンター用連結シートを製造するための方法であって、次の工程（ａ）〜（ｅ）を含むことを特徴とするものである。
【００１２】
（ａ）  支持シートロールから連続的に供給される支持シートの接着面に、非粘着性で易剥離性の接着剤を塗布する工程。
（ｂ）  該支持シートに、次の工程（ｃ）に先立って、アンカット部分を残して上記印刷領域の部分的裏抜きのための切断線の付与を行う工程。
（ｃ）  上記支持シートと、カード用シートロールから連続的に供給されるカード用シートとを、接合ローラーで加圧接着し、積層シートにする工程。
（ｄ）  上記積層シートにおけるカード用シートのみに、それを印刷用カードに切断するための切断線を付与する工程。
（ｅ）  裏抜きの切断線が形成された支持シートから、上記印刷領域に貼着されている余剰部分を、上記アンカット部分を切断しながら上記切断線に沿う切断で引き剥がし、裏抜きする工程。
【００１３】
本発明においては、上記工程（ａ）に代えて、
（ｆ）  支持シートロールから接着面に予め非粘着性で易剥離性の接着剤が塗着された支持シートを連続的に供給する工程。
を備えることもできる。
【００１４】
上記本発明の方法における工程（ｂ）においては、切断線に沿うアンカット部分を、厚みが数μｍの薄肉接続部及び／または切断線の一部に残る微小な非切断部とすることができる。
また、本発明の方法において、支持シートに付与する切断線を、連続的に供給される支持シートの長さ方向に沿って延びるがそれと直交する方向に一定幅で往復動する曲線的な線状とし、あるいは、連続的に供給される支持シートの長さ方向に沿う直線的な線状とすることができる。
【００１５】
一方、上記課題を解決するための本発明の装置は、多数の印刷用カードにおける裏面に印刷領域を残して支持シートが貼着され、該印刷用カードの多数が該支持シートで連結されてなるプリンター用連結シートを製造するための装置であって、次の機器（ａ）〜（ｅ）を含むことを特徴とするものである。
【００１６】
（ａ）  支持シートロールから連続的に供給される支持シートの接着面に、非粘着性で易剥離性の接着剤を塗布する接着剤塗布機器。
（ｂ）  該支持シートに、次の（ｃ）の圧着機器によるカード用シートとの積層に先立って、アンカット部分を残して上記印刷領域の部分的裏抜きのための切断線の付与を行う裏抜き切断線付与機器。
（ｃ）  上記支持シートと、カード用シートロールから連続的に供給されるカード用シートとを、接合ローラーで加圧接着し、積層シートにする圧着機器。
（ｄ）  上記積層シートにおけるカード用シートのみに、それを印刷用カードに切断するための切断線を付与するカード状切断線付与機器。
（ｅ）  裏抜きの切断線が形成された支持シートから、上記印刷領域に貼着されている余剰部分を、上記アンカット部分を切断しながら上記切断線に沿う切断で引き剥がし、裏抜きする裏面印刷領域形成機器。
【００１７】
本発明の製造装置においては、上記機器（ａ）に代えて、
（ｆ）  支持シートロールから、接着面に予め非粘着性で易剥離性の接着剤が塗着された支持シートを連続的に供給する接着剤付き支持シート供給機器。
を備えることができる。
【００１８】
上記構成を有する本発明の方法及び装置によれば、支持シートに、カード用シートを接着する以前に、印刷用カードの裏面に形成する印刷領域のための部分的な型抜きための切断線を付与するようにしているので、印刷用カードの裏面に切断線の形状の刃の圧着痕が生じる余地がなく、品質において優れたプリンター用連結シートを得ることができる。
また、上記部分的な型抜きのための切断線を支持シートに付与するときに、該支持シートの切断線に必要なアンカット部分を残すので、その後のカード用シートとの接合までに該支持シートがばらけることもない。
【発明の効果】
【００１９】
上述した本発明の方法及び装置によれば、支持シートに、印刷用カードの裏面に印刷領域を形成するための部分的裏抜きを行うための切断線の付与を行うときに、印刷用カードの裏面に刃の圧着痕が生じることがない。
【発明を実施するための最良の形態】
【００２０】
図１〜３は、本発明に係るプリンター用連結シートの製造装置の実施例を示している。この装置は、前記従来のプリンター用連結シートと外観的には近似するが、前記圧着痕のないプリンター用連結シートを製造するためのものである。なお、この実施例の説明においては、従来例との比較を容易にするために、図中の同一または相当部分には従来例と同一の符号を付している。
【００２１】
図１に示すように、この実施例の装置では、一連の製造ラインの始端側に、まず、支持シートロール１０のリールを支持して該ロール１０から連続的に支持シート２０を供給するための支持シート供給設備１０Ａ、及びカード用シートロール１１のリールを支持して該ロール１１から連続的にカード用シート２１を供給するためのカード用シート供給設備１１Ａが設置される。
【００２２】
そして、上記支持シートロール１０から供給される支持シート２０の走向域には、該支持シート２０の接着面に非粘着性で易剥離性の接着剤を塗布するための接着剤塗布機器１２が設置され、更に、該支持シート２０に、圧着機器１３によるカード用シート２１との積層に先立って、上記印刷領域２３ａの部分的裏抜きのための切断線２５の付与を行う裏抜き切断線付与機器１４が設置される。上記接着剤塗布機器１２及び裏抜き切断線付与機器１４としては、周知の各種機器を利用することができる。なお、上記非粘着性で易剥離性の接着剤は、剥離後に粘着性がなく、両シートを重ね合わせても再接着しないものである。
また、上記接着剤塗布機器１２は、裏抜き切断線付与機器１４の後段で、次に説明する圧着機器１３に達するまでの位置に配設することもできる。
【００２３】
なお、ここでは、上記支持シートロール１０から供給されるところの接着剤が未塗布の支持シートの接着面に、接着剤塗布機器１２で接着剤を塗布しながら、該支持シート２０を連続的に供給する場合について説明しているが、それに代えて、支持シートロール１０から接着面に予め上記接着剤が塗着された支持シートを連続的に供給することもできる。
この場合には、図示の支持シート供給設備１０Ａ及び接着剤塗布機器１２に代えて、接着剤付き支持シート供給設備１２Ａを備え、そこに保持された支持シートロール１０から予め接着剤が塗着された支持シート２０を連続的に供給することになる。  
【００２４】
上記裏抜き切断線付与機器１４においては、それによって支持シート２０に付与した切断線２５により支持シート２０がばらけるのを抑制するため、該切断線２５に沿って、その抑制に必要な範囲内のアンカット部分２５ａを残して該切断線２５が付与される。上記切断線２５に沿うアンカット部分２５ａは、厚みが数μｍの薄肉接続部及び／または切断線２５の一部に残る微小な非切断部として形成することができる。図２では、その後者のアンカット部分を示している。
【００２５】
また、上記支持シート２０に付与する切断線２５は、図２に示すように、基本的には、連続的にＡ方向に供給される支持シート２０の長さ方向に沿って延びるが、印刷用カード２３の裏面における印刷領域２３ａを拡大するため、支持シート２０の長さ方向と直交する方向に一定幅で往復動する曲線的な線状とするのが望まれるが、支持シート２０の長さ方向に沿う直線的な線状とすることもできる。
【００２６】
上記接着剤が塗布され、更に上記切断線２５が付与された支持シート２０は、次にカード用シートロール１１から連続的に供給されるカード用シート２１と接合され、一対の接合ローラー１３ａからなる圧着機器１３で加圧接着されて、積層シート２２が形成され、そのうえで、カード状切断線付与機器１５により、該積層シート２２におけるカード用シート２１のみに、それを印刷用カード２３に切断するための切断線２４が付与される。この切断線２４は、カード用シート２１を完全に切断するためのものである。
【００２７】
そして、前記裏抜きの切断線２５が形成され、且つカード用シート２１と接合された支持シート２０は、裏面印刷領域形成機器１６に導入され、該支持シート２０から、上記印刷領域２３ａに貼着されている余剰部分２０ｂが、上記アンカット部分２５ａを切断しながら、上記切断線２５に沿う切断で引き剥がされ、裏抜きされる。この裏面印刷領域形成機器１６は、単に上記支持シート２０の余剰部分２０ｂを巻き取るだけの装置として構成することができる。
これにより、図３に示すように支持シート２０の余剰部分２０ｂを除去した帯状の積層シート２２が製造される。この帯状の積層シート２２を同図に示す裁断位置２７で裁断することにより、プリンター用連結シートが製造される。
【００２８】
上述した製造装置によりプリンター用連結シートを製造するに際しては、前記接着剤塗布機器１２において、支持シートロール１０から連続的に供給される支持シート２０の接着面に、非粘着性で易剥離性の接着剤を塗布する工程、または支持シートロールから接着面に予め非粘着性で易剥離性の接着剤が塗着された支持シートを連続的に供給する工程、前記裏抜き切断線付与機器１４において、支持シート２０に、次の加圧接着の工程に先立って、アンカット部分２５ａを残して上記印刷領域２３ａの部分的裏抜きのための切断線２５の付与を行う工程、前記圧着機器１３において、上記支持シート２０と、カード用シートロール１１から連続的に供給されるカード用シート２１とを、接合ローラー１３ａで加圧接着し、積層シート２２にする工程、前記カード状切断線付与機器１５において、上記積層シート２２におけるカード用シート２１のみに、それを印刷用カード２３に切断するための切断線２４を付与する工程、並びに、前記裏面印刷領域形成機器１６において、裏抜きの切断線２５が形成された支持シート２０から、上記印刷領域２３ａに貼着されている余剰部分２０ｂを、上記アンカット部分２５ａを切断しながら上記切断線２５に沿う切断で引き剥がし、裏抜きする工程を実施する必要がある。
【００２９】
これらの工程により得られるプリンター用連結シートは、図３に示すように、カード用シート２１に縦横の切断線２４を付することにより形成された所期の大きさの印刷用カード２３が複数個隣接して配置され、これらの印刷用カード２３の裏面に、印刷領域２３ａを残して支持シート２０の連結部分２０ａが貼着され、該連結部分２０ａで印刷用カード２３が連結されたものである。なお、印刷カード２３の裏面の印刷領域２３ａに貼着されていた支持シート２０の余剰部分２０ｂ（図２）は、既に除去されている。このプリンター用連結シートは、図６によって先に説明した既知のプリンター用連結シートと外観的には差異がないが、切断線２５に沿う圧着痕がない点で大きく相違している。
【００３０】
この印刷用カード２３は、その表面全体及びその裏面の印刷領域２３ａに、汎用プリンターで印刷できるように、Ａ４サイズ、Ｂ４サイズ等の大きさに形成することが望まれる。プリンターによる印刷後には、印刷用カード２３を支持シート２０の連結部分２０ａから取り外して名刺等として使用できる。
なお、上記支持シート２０及びカード用シート２１の材料は、必ずしも紙である必要はなく、少なくともその一方に合成樹脂シート、不織布等を用いることができる。
【図面の簡単な説明】
【００３１】
【図１】本発明に係るプリンター用連結シートの製造装置の実施例の構成を模式的に示す構成図である。
【図２】上記実施例の装置における圧着機器１３を出た段階の積層シートの裏面図である。
【図３】上記実施例の装置により製造されたプリンター用連結シートの裏面図である。
【図４】従来のプリンター用連結シートの製造装置の概要を示す構成図である。
【図５】上記従来の製造装置における裏抜き切断線付与機器１４を出た段階での積層シートの裏面図である。
【図６】上記従来の製造装置により製造されたプリンター連結シート裏面図である。
【符号の説明】
【００３２】
１０    支持シートロール
１０Ａ  支持シート供給設備
１１    カード用シートロール
１１Ａ  カード用シート供給設備
１２    接着剤塗布機器
１３    圧着機器
１３ａ  接合ローラー
１４    裏抜き切断線付与機器
１５    カード状切断線付与機器
１６    裏面印刷領域形成機器
２０    支持シート
２０ａ  連結部分
２０ｂ  余剰部分
２１    カード用シート
２２    積層シート
２３    印刷用カード
２３ａ  印刷領域
２４，２５  切断線
２５ａ  アンカット部分
２７    裁断位置
【図１】
2007160914.tif 000003
【図２】
2007160914.tif 000004
【図３】
2007160914.tif 000005
【図４】
2007160914.tif 000006
【図５】
2007160914.tif 000007
【図６】
2007160914.tif 000008